(57)【要約】【課題】弾性バンドが座部等に引っ掛かりにくくすることで、弾性バンドによる上半身の運動が阻害されないようにした運動装置を提供する。【解決手段】使用者１００が着座する座部２と、この座部２を揺動運動させる駆動部３と、この駆動部３を支持する脚部３０とを備えた揺動型運動装置１において、座部２に着座した使用者１００が先端部５０ａを手で握り可能な弾性バンド５０が設けられ、この弾性バンド５０の基端部５０ｂは、座部２の係止部５５で係止されている。【選択図】図１
2009247451.tif 000002
【特許請求の範囲】
【請求項１】
使用者が着座する座部と、この座部を揺動運動させる駆動部と、この駆動部を支持する脚部とを備えた揺動型運動装置において、
前記座部に着座した使用者が先端部を手で握り可能な弾性バンドが設けられ、この弾性バンドの基端部は、座部の係止部で係止されていることを特徴とする揺動型運動装置。
【請求項２】
前記係止部は、前記座部の側面であり、着座した使用者の大腿部よりも後側に位置することを特徴とする請求項１に記載の揺動型運動装置。
【請求項３】
前記係止部は、着座した使用者の大腿部のあおり部よりも後側に位置することを特徴とする請求項２に記載の揺動型運動装置。
【請求項４】
前記係止部は、着座した使用者の重心を通る垂線の近傍に位置することを特徴とする請求項１〜３のいずれか一項に記載の揺動型運動装置。
【請求項５】
前記弾性バンドは、座部に対して着脱自在であることを特徴とする請求項１〜４のいずれか一項に記載の揺動型運動装置。
【発明の詳細な説明】
【技術分野】
【０００１】
本発明は、揺動型運動装置に関する。
【背景技術】
【０００２】
従来、図１０に示すように、使用者４１が着座する座部４２と、この座部４２を揺動運動させる駆動部４３と、この駆動部４３を支持する脚部４４とを備えた揺動型運動装置がある（特許文献１参照）。
【０００３】
この揺動型運動装置は、鞍状の座部４２に跨って着座した使用者４１が座部４２の前後左右の揺動に応じて、バランスを保つように下半身を動かすことで、主に、使用者４１の下半身の筋肉を鍛えるためのものである。このような揺動型運動装置において、使用者４１の下半身の筋肉と同時に、上半身の筋肉も鍛えたいという要望がある。
【０００４】
そのため、同図に示したように、座部４２に着座した使用者４１が先端部（グリップ等）４５ａを手で握り可能な弾性バンド（ストレッチバンド）４５が設けられ、この弾性バンド４５の基端部４５ｂは、脚部４４の係止部４４ａで係止されている揺動型運動装置が考えられる。この揺動型運動装置では、使用者４１が座部４２の前後左右の揺動に応じて、バランスを保つように下半身を動かすと同時に、弾性バンド４５を手で引っ張りながら上半身も動かすようになるから、上半身の筋肉も鍛えることができるようになる。この弾性バンド４５が乗馬用の手綱と相違するのは、大きな伸縮性を有する点である。
【０００５】
なお、座椅子に座った使用者が手でバンドを握るようにした肥満防止器がある（特許文献２参照）。
【特許文献１】実用新案登録第３１２１３７８号公報
【特許文献２】実開平５−７４５２８号公報
【発明の開示】
【発明が解決しようとする課題】
【０００６】
前記のような弾性バンド４５を設けた揺動型運動装置において、弾性バンド４５の基端部４５ｂは、座部４２の前方に位置する脚部４４の係止部４４ａで係止されているから、座部４２に着座した使用者４１が先端部４５ａを手で握るためには、その全長が長くなる。
【０００７】
そのため、使用者の姿勢によっては、弾性バンド４５の中間部分が座部４２や使用者４１の足（特に膝）に引っ掛かって、弾性バンド４５による上半身の運動が阻害されることがある。
【０００８】
本発明は、前記問題を解消するためになされたもので、弾性バンドが座部等に引っ掛かりにくくすることで、弾性バンドによる上半身の運動が阻害されないようにした揺動型運動装置を提供することを目的とするものである。
【課題を解決するための手段】
【０００９】
前記課題を解決するために、本発明は、使用者が着座する座部と、この座部を揺動運動させる駆動部と、この駆動部を支持する脚部とを備えた揺動型運動装置において、前記座部に着座した使用者が先端部を手で握り可能な弾性バンドが設けられ、この弾性バンドの基端部は、座部の係止部で係止されていることを特徴とする揺動型運動装置を提供するものである。
【００１０】
請求項２のように、請求項１において、前記係止部は、前記座部の側面であり、着座した使用者の大腿部よりも後側に位置することが好ましい。
【００１１】
請求項３のように、請求項２において、前記係止部は、着座した使用者の大腿部のあおり部よりも後側に位置することが好ましい。
【００１２】
請求項４のように、請求項１〜３のいずれか一項において、前記係止部は、着座した使用者の重心を通る垂線の近傍に位置することが好ましい。
【００１３】
請求項５のように、請求項１〜４のいずれか一項において、前記弾性バンドは、座部に対して着脱自在であることが好ましい。
【発明の効果】
【００１４】
本発明によれば、座部に着座した使用者が先端部を手で握り可能な弾性バンドの基端部を座部の係止部で係止するようにしたから、弾性バンドの基端部を脚部の係止部で係止する技術と比較して、その全長を短く（例えば半分以下）にすることが可能になる。これと相俟って、弾性バンドの基端部を座部の係止部で係止するので、弾性バンドの中間部分が座部や使用者の足（特に膝）に引っ掛かりにくくなって、弾性バンドによる上半身の運動が阻害されないようになる。
【００１５】
請求項２または３によれば、弾性バンドの基端部を座部の側面で、着座した使用者の大腿部よりも後側、好ましくは大腿部のあおり部よりも後側の係止部で係止するようにしたから、弾性バンドの先端部を手で握ると、弾性バンドが大腿部を横切るようになるので、より座部等に引っ掛かりにくくなる。また、弾性バンド先端部を手で握った使用者は、腕をＶ字状に曲げた姿勢となるので、運動のバリエーションが増えるようになる。
【００１６】
請求項４によれば、使用者は、弾性バンドの先端部を握って前後に引っ張る運動だけでは無く、真横にも引っ張る運動がし易くなるので、運動のバリエーションが増えるようになる。また、使用者は、誤って弾性バンドで不用意に引っ張られる事態が発生しても、係止部が着座した使用者の重心を通る垂線の近傍に位置するので、後ろ側にひっくり返るような事態が発生しなくなる。
【００１７】
請求項５によれば、弾性バンドの交換が容易に行える。
【発明を実施するための最良の形態】
【００１８】
以下、本発明を実施するための最良の形態について、図面を参照しながら詳細に説明する。
【００１９】
図５は、本発明の実施形態に係る揺動型運動装置１の全体構成を示す側面図である。この揺動型運動装置１は、馬の鞍を模した形状で使用者が着座（騎乗）する座部２を備えている。また、この座部２内に設けられ、座部２を揺動させる駆動手段である駆動装置３と、座部２および駆動装置３を支える脚部３０を備えている。
【００２０】
図６は、駆動装置３を拡大して示す側面図であり、図７はその平面図であり、図８はその背面図である。図５、図６および図８において、該駆動装置３が揺動した状態を仮想線で示す。
【００２１】
座部２が取付けられる台座４は、左右を一対とする連結リンク５を介して可動架台６に前後に揺動可能に支持され、可動架台６はベース８に左右に揺動可能に支持されているとともに、台座４と可動架台６との間には駆動部１３が収納されている。
【００２２】
前記連結リンク５は、前リンク５ａと、後リンク５ｂとから成る。前リンク５ａの上端部は、台座４の前端部に設けた上軸ピン４ａに嵌合され、前リンク５ａの下端部は可動架台６の側板１６の前端部に設けた下軸ピン７ａに嵌合されている。また、後リンク５ｂの上端部は台座４の後端部に設けた上軸ピン４ｂに嵌合され、後リンク５ｂの下端部は可動架台６の側板１６の後端部に設けた下軸ピン７ｂに嵌合されている。
【００２３】
前後の各下軸ピン７ａ，７ｂは、連結リンク５を左右方向Ｙの軸線回りに回動可能に支持する左右軸７を構成しており、これによって、台座４は左右軸７回りに図２の矢印Ｍで示す前後方向に往復回転移動可能となっている。
【００２４】
前記ベース８の前後方向Ｘの両端部には、図６および図８に示すように、軸支板２４がそれぞれ上向きに設けられている。可動架台６の前後方向Ｘの両端部には前記軸支板２４と対向する連結板２５がそれぞれ下向きに設けられ、軸支板２４に対して連結板２５が前後軸９によって回動可能に連結されている。
【００２５】
前後軸９はベース８の中央部の前後２箇所に配置されて可動架台６を前後軸９回りに回動可能に支持するものであり、これによって台座４は前後軸９回りに図４の矢印Ｎで示す左右方向に回転往復移動可能となっている。
【００２６】
一方、駆動部１３は、単体のモータ１０を備えている。また、モータ１０の出力回転軸１２の回転力を台座４の前後方向Ｘの往復直進移動、左右軸７回りの回転往復移動、前後軸９回りの回転往復移動にそれぞれ変換して、これら３動作を組合わせて座部２を駆動可能とする２つの駆動部１３ａ，１３ｂを備えている。本例のモータ１０はベース８上に縦据え置きされ、出力回転軸１２の突出方向は上向きとされる。
【００２７】
第１駆動部１３ａは、前後方向Ｘの往復直進移動および左右軸７回りの回転往復移動用であり、第２駆動部１３ｂは、前後軸９回りの回転往復移動用である。
【００２８】
第１駆動部１３ａは、図６および図７で示すように、出力回転軸１２にモータギア１１および第１ギア１４を介して連結される第１シャフト１７を備えている。また、第１シャフト１７の一端部に偏心して連結される偏心クランク１９と、一端部が偏心クランク１９に連結され、他端部が前リンク５ａに設けた軸ピン５ｃに嵌合されるアームリンク２０とを備えている。
【００２９】
第１シャフト１７の両端部は台座４側にそれぞれ回動可能に支持されており、偏心クランク１９が第１シャフト１７に対して偏心円運動を行う。これによってアームリンク２０を介して前リンク５ａが前後方向Ｘに往復移動し、連結リンク５に連結されている台座４、すなわち座部２が図５および図６の矢印Ｍで示す方向に揺動可能となっている。
【００３０】
また、第２駆動部１３ｂは、図７および図８で示すように、第１シャフト１７の連動ギア２２と第２ギア１５を介して連結された第２シャフト１８を備えている。また、一端部が第２シャフト１８の一端部に偏心して連結され、他端部がベース８に回動可能に連結される偏心ロッド２１を備えている。第２シャフト１８の両端部は台座４側に回動可能に支持されている。
【００３１】
偏心ロッド２１は、台座４の左側或いは右側のいずれか一方に配置され（図７および図８では右側）、偏心ロッド２１の上端部２１ａが図４に示す軸ピン２９により第２シャフト１８の一端部に対して偏心して連結されている。偏心ロッド２１の下端部２１ｂはベース８に固定したＬ形連結金具２７に対して軸ピン２８により回動可能に連結されている。したがって、第２シャフト１８の回転によって、偏心ロッド２１の上端部が偏心円運動を行うことで、台座４、すなわち座部２が図８の矢印Ｎで示すように、前後軸９回りの回転往復移動可能となっている。
【００３２】
前記構成において、モータ１０の出力回転軸１２が回転すると、モータギア１１と第１ギア１４との噛み合いによって第１シャフト１７が回転すると同時に、第１シャフト１７の連動ギア２２と第２ギア１５との噛み合いによって第２シャフト１８が回転する。
【００３３】
第１シャフト１７が回転すると、第１シャフト１７の一端部に連結された偏心クランク１９が偏心円運動を行ない、アームリンク２０を介して前リンク５ａが前側の左右軸７ａを中心に前後方向Ｘに回動する。このとき、後リンク５ｂが協働して後側の左右軸７ｂ回りに回動することから、台座４、すなわち座部２は前後方向Ｘに往復移動および揺動する。
【００３４】
また、第２シャフト１８の回転によって、偏心ロッド２１の上端部が偏心円運動を行い、台座４、すなわち座部２は前後軸９回りに回転往復移動する。
【００３５】
このようにして、使用者１００が座部２に着座（騎乗）した状態で、座部２は図９に示す前後方向Ｘ、左右方向Ｙ、上下方向Ｚへの運動、およびθＸ方向、θＹ方向、θＺ方向の揺動を行うことから、身体のバランス機能や運動機能を訓練することができる。
【００３６】
前記揺動型運動装置１には、図１に示したように、座部２に着座した使用者１００が先端部５０ａを左右の手でそれぞれ握り可能な弾性バンド５０が左右位置に設けられ、この弾性バンド５０の基端部５０ｂは、座部２の係止部５５（弾性バンド５０の揺動支点）で係止されている。
【００３７】
弾性バンド５０は、図２および図３に詳細に示すように、伸縮可能なゴム素材やプラスチック素材で構成されている。弾性バンド５０の基端部５０ｂは、肉厚を厚くしたリング状に形成されて、中心部に係止穴５０ｃが開けられている。
【００３８】
弾性バンド５０の先端５０ｄは、基端部５０ｂの方向へＵ字状に折り返されて、基端部５０ｂの手前で、長さ調整用のアジャスター（ベルト止め）５１に差し込まれることで、抜けはずれないように保持されている。なお、アジャスター５１は、カバン等のショルダーベルトに使用されている。
【００３９】
弾性バンド５０の先端部５０ａには、柔軟性を有するグリップ５２が移動可能に嵌め込まれている。
【００４０】
アジャスター５１は、弾性バンド５０の先端５０ｄを保持する機能の他に、図３（ａ）のように、基端部５０ｂ側にずらせると、弾性バンド５０の全長Ｌ１を短く調整するとともに、図３（ｂ）のように、先端部５０ａ側にずらせると、弾性バンド５０の全長Ｌ２を長く調整することができる機能を有する。
【００４１】
係止部５５は、図４に詳細に示すように、座部２内の側面に位置する座部基台５６の貫通穴５６ａに、内方から外方に向けてボルト５７が挿通されている。座部基台５６の外面には、ボルト５７が挿通する椀状プレート５８が宛われている。
【００４２】
この椀状プレート５８内に、座部２の外方から摘み状ナット５９を嵌め込みながら、ボルト５７にねじ込むことにより、椀状プレート５８は、座部基台５６と摘み状ナット５９との間に挟み込まれて保持されるようになる。同時に、摘み状ナット５９もボルト５７で保持されて、座部２から側方に突出するようになる。なお、椀状プレート５８を座部２のトリム２ａよりも僅かに外方に突出させているのは（符号ｔ参照）、弾性バンド５０が座部２のトリム２ａを擦らないようにするためである。
【００４３】
摘み状ナット５９には、弾性バンド５０の基端部５０ｂの係止穴５０ｃを直径方向に延ばして広げながら嵌め込むことで、係止部５５で回動可能に係止されるようになる。
【００４４】
係止部５５は、座部２の左右の側面にそれぞれ設けられ、弾性バンド５０は、座部２の左右に設けられるようになる。
【００４５】
この係止部５５は、座部２の左右の側面で、図１に示したように、着座した使用者１００の大腿部１０１よりも後側に位置させている。具体的には、着座した使用者１００の大腿部１０１のあおり部よりも後側に位置させている。なお、「あおり」とは、使用者１００が股で挟む座部２の部分である。加えて、係止部５５は、着座した使用者１００の重心Ｇを通る垂線の近傍に位置させている。
【００４６】
このような弾性バンド５０を設けた揺動型運動装置１では、使用者１００が座部２の前後左右の揺動に応じて、バランスを保つように下半身を動かす。それと同時に、先端部５０ａのグリップ５２を手で握った弾性バンド５０を引っ張りながら上半身も動かすようになるから、上半身の筋肉も鍛えることができるようになる。
【００４７】
前記構成において、座部２に着座した使用者１００が手で握る弾性バンド５０の基端部５０ｂを座部２の係止部５５で係止するようにしたものである。したがって、弾性バンド５０の基端部５０ｂを脚部４４の係止部４４ａで係止する背景技術（図１０参照）と比較して、その全長を短く（例えば半分以下）にすることが可能になる。これと相俟って、弾性バンド５０の基端部５０ｂを座部２の係止部５５で係止するので、弾性バンド５０の中間部分が座部２や使用者１００の足（特に膝）に引っ掛かりにくくなって、弾性バンド５０による上半身の運動が阻害されないようになる。
【００４８】
また、弾性バンド５０の基端部５０ｂを座部２の側面で、着座した使用者１００の大腿部１０１（好ましくはあおり部）よりも後側の係止部５５で係止するようにしたから、弾性バンド５０の先端部５０ａを手で握ると、弾性バンド５０が大腿部１０１を横切るようになるので、より座部２等に引っ掛かりにくくなる。さらに、弾性バンド５０の先端部５０ａを手で握った使用者１００は、腕１０２をＶ字状に曲げた姿勢となるので、運動のバリエーションが増えるようになる。
【００４９】
さらに、係止部５５を着座した使用者１００の重心Ｇの近傍に位置させることで、使用者１００は、弾性バンド５０の先端部５０ａを握って前後に引っ張る運動だけでは無く、真横にも引っ張る運動がし易くなるので、運動のバリエーションが増えるようになる。また、使用者１００は、誤って弾性バンド５０で不用意に引っ張られる事態が発生しても、係止部５５が着座した使用者１００の重心を通る垂線の近傍に位置するので、後ろ側にひっくり返るような事態が発生しなくなる。
【００５０】
さらにまた、弾性バンド５０は、基端部５０ｂの係止穴５０ｃを直径方向に延ばして広げながら摘み状ナット５９から抜き外すことができるので、弾性バンド５０の交換が容易に行える。
【図面の簡単な説明】
【００５１】
【図１】本発明に係る揺動型運動装置であり、（ａ）は使用者が着座した側面図、（ｂ）は斜視図である。
【図２】弾性バンドであり、（ａ）は側面図、（ｂ）は平面断面図である。
【図３】弾性バンドであり、（ａ）は全長を短く調整した平面図、（ｂ）は全長を長く調整した平面図である。
【図４】係止部の断面図である。
【図５】本発明に係る揺動型運動装置の全体構成を示す側面図である。
【図６】図５の駆動装置を拡大して示す側面図である。
【図７】図６の平面図である。
【図８】図６の背面図である。
【図９】座部の動きを説明するための図である。
【図１０】背景技術の揺動型運動装置に使用者が着座した側面図である。
【符号の説明】
【００５２】
１      揺動型運動装置
２      座部
３      駆動装置（駆動部）
３０    脚部（脚部）
５０    弾性バンド
５０ａ  先端部
５０ｂ  基端部
５０ｃ  係止穴
５１    アジャスター
５２    グリップ
５５    係止部
１００  使用者
【図１】
2009247451.tif 000003
【図２】
2009247451.tif 000004
【図３】
2009247451.tif 000005
【図４】
2009247451.tif 000006
【図５】
2009247451.tif 000007
【図６】
2009247451.tif 000008
【図７】
2009247451.tif 000009
【図８】
2009247451.tif 000010
【図９】
2009247451.tif 000011
【図１０】
2009247451.tif 000012